(57)【要約】【課題】体腔内の患部近傍に細胞シートを確実にリリースして、患部の修復術を容易にする。【解決手段】接着面１ａを半径方向内方に向けて筒状に丸めた細胞シート１を内部に収容し、先端を患部Ａ近傍に配置したチューブ４の後方から導いた押圧手段５により、細胞シート１をチューブ４内から押し出す細胞シート１のリリース方法を提供する。【選択図】    図１
2007229250.tif 000002
【特許請求の範囲】
【請求項１】
接着面を半径方向内方に向けて筒状に丸めた細胞シートを内部に収容し、先端を患部近傍に配置したチューブの後方から導いた押圧手段により、細胞シートをチューブ内から押し出す細胞シートのリリース方法。
【請求項２】
前記筒状に丸めた細胞シートの切れ目を接着部位に向けた状態で押し出す請求項１に記載の細胞シートのリリース方法。
【請求項３】
円形に整形した細胞シートの接着面の外周部に、所定の厚さを有する生体親和性材料からなる管状のスペーサを接着した細胞シート部材を内部に収容し、先端を患部近傍に配置したチューブの後方から導いた押圧手段により、細胞シート部材をチューブから押し出す細胞シートのリリース方法。
【請求項４】
細胞シートの接着面に、温度により親水性と疎水性とが切り替わる温度応答性を有する温度応答性部材を接着させた状態で、患部近傍において、温度応答性部材を冷却する細胞シートのリリース方法。
【請求項５】
前記温度応答性部材が、シート状である請求項４に記載の細胞シートのリリース方法。
【請求項６】
前記温度応答性部材が、変形可能な部材により構成されている請求項４または請求項５に記載の細胞シートのリリース方法。
【請求項７】
前記温度応答性部材が、形状記憶アクチュエータを備える請求項６に記載の細胞シートのリリース方法。
【請求項８】
前記温度応答性部材が、メタルステントである請求項６に記載の細胞シートのリリース方法。
【請求項９】
前記温度応答性部材が、バルーンである請求項６に記載の細胞シートのリリース方法。
【発明の詳細な説明】
【技術分野】
【０００１】
本発明は、細胞シートのリリース方法に関するものである。
【背景技術】
【０００２】
従来、例えば、瘢痕性角結膜症等の中度または重度の角膜疾患等の治療のために培養上皮細胞シートが用いられている（例えば、特許文献１参照。）。また、火傷等の皮膚損傷を治療するために、火傷により死滅した表皮を除去し、除去された部分をマスキングするために細胞シートが用いられている（例えば、特許文献２参照。）。これらの細胞シートは、患者本人の正常な細胞を採取して培養することにより製造されるものであるため、免疫拒絶反応等の問題がないという利点がある。
【０００３】
また、特許文献２においては、細胞シートの製造方法として、温度応答性ポリマーにより表面を被覆した培養容器を用いる方法が開示されている。温度応答性ポリマーは、温度により疎水性から親水性に急激に変化する性質を有し、例えば、３７℃での培養時には、疎水性を呈して、接着性の細胞を接着状態に維持して成長を促進し、剥離させるときには、例えば、２０℃程度に冷却することにより、親水性に変化させ、培養容器から細胞を容易に剥離させることができる。
【０００４】
温度応答性ポリマーを使用することにより、従来トリプシン等のタンパク質分解酵素を用いて剥離させていた場合と比較すると、細胞に与える損傷が少なく、健全な状態の細胞シートを製造することができるという利点がある。
そして、このようにして剥離された細胞シートは、培養容器の底面に設けられた温度応答性ポリマーの作用により剥離されたものであるため、細胞自体の接着性に変化はなく、剥離された後は、培養容器に接着していた面を接着面として患部に貼り付けマスキング等に利用することができる。
【特許文献１】特開２００２−３３１０２５号公報
【特許文献２】国際公開第０２／１０３４９パンフレット
【発明の開示】
【発明が解決しようとする課題】
【０００５】
しかしながら、上述した角膜疾患の治療や、火傷時の皮膚の治療等のように、人体の外部に露出する部位の治療に際しては、上記細胞シートの接着面が他の部位に接着しないように広げたままで、容易に患部に配置することができるが、例えば、食道、胃あるいは腸の内壁に形成された潰瘍や、内視鏡的に粘膜が切除された部位に細胞シートを配置するには、経口的あるいは経肛門的に細長い体腔内を経由して細胞シートを挿入し、患部近傍でリリースする必要がある。
【０００６】
本発明は上述した事情に鑑みてなされたものであって、体腔内の患部近傍に細胞シートを確実にリリースして、患部の修復術を容易にする細胞シートのリリース方法を提供することを目的としている。
【課題を解決するための手段】
【０００７】
上記目的を達成するために、本発明は、以下の手段を提供する。
本発明は、接着面を半径方向内方に向けて筒状に丸めた細胞シートを内部に収容し、先端を患部近傍に配置したチューブの後方から導いた押圧手段により、細胞シートをチューブ内から押し出す細胞シートのリリース方法を提供する。
【０００８】
本発明によれば、接着面を半径方向内方に向けて筒状に丸めることにより、細胞シートがチューブの内壁面に接着することなく収容状態に保持されている。したがって、チューブの後方から導いた押圧手段、例えば、水等の液体やワイヤ等によって細胞シートを押圧するだけで、容易にチューブの先端から体腔内に押し出してリリースすることができる。
【０００９】
上記発明においては、前記筒状に丸めた細胞シートの切れ目を接着部位に向けた状態で押し出すことが好ましい。
このようにすることで、細胞シートがチューブ内からリリースされた際に切れ目側から広がって略平坦な形態に戻るため、広がった細胞シートを、姿勢を変えることなく迅速に接着部位に適用することができる。
【００１０】
また、本発明は、円形に整形した細胞シートの接着面の外周部に、所定の厚さを有する生体親和性材料からなる管状のスペーサを接着した細胞シート部材を内部に収容し、先端を患部近傍に配置したチューブの後方から導いた押圧手段により、細胞シート部材をチューブから押し出す細胞シートのリリース方法を提供する。
【００１１】
本発明によれば、細胞シートの接着面外周部に管状のスペーサを接着した細胞シート部材とすることにより、細胞シートをチューブの内壁面に接着させることなく収容状態に保持することができる。したがって、チューブの後方から導いた押圧手段により細胞シート部材を押圧するだけで、容易にチューブの先端から体腔内に押し出してリリースすることができる。
【００１２】
さらに、本発明は、細胞シートの接着面に、温度により親水性と疎水性とが切り替わる温度応答性を有する温度応答性部材を接着させた状態で、患部近傍において、温度応答性部材を冷却する細胞シートのリリース方法を提供する。
【００１３】
本発明によれば、細胞シートの接着面に温度応答性部材を接着させた状態とすることにより、細胞シートの接着面を周囲の体腔内壁等に接着させることなく体腔内の患部近傍に配置でき、そこで冷却することにより、温度応答性部材を親水性に切り替えて、細胞シートを剥離させ、容易に患部近傍にリリースすることができる。
【００１４】
上記発明においては、前記温度応答性部材が、シート状であることとしてもよい。
このようにすることで、患部近傍において細胞シートを広げた状態でリリースすることが可能となり、患部への接着作業を容易にすることができる。
【００１５】
また、上記発明においては、前記温度応答性部材が、変形可能な部材により構成されていることとしてもよい。
このようにすることで、口や肛門から患部近傍までの狭隘な体腔内においては細胞シートを接着させた温度応答性部材を細く変形させ、患部近傍において温度応答性部材を広げるように変形させることにより、細胞シートを広げた状態でリリースすることが可能となり、患部への接着作業を容易にすることができる。
【００１６】
さらに、上記発明においては、前記温度応答性部材が、形状記憶アクチュエータを備えることとしてもよい。
このようにすることで、形状記憶アクチュエータに温度変化を与え、簡易に所望の形態に変形させることができる。形状記憶アクチュエータとしては、形状記憶合金あるいは形状記憶ポリマーが挙げられる。
【００１７】
また、上記発明においては、前記温度応答性部材が、メタルステントであることとしてもよい。
このようにすることで、患部近傍においてメタルステントを解放することにより、あるいはメタルステント内部に配置したバルーンを膨張させることにより、患部に適した形状に細胞シートを広げ、その状態でメタルステントを冷却することにより、細胞シートをリリースすることができる。
【００１８】
また、上記発明においては、前記温度応答性部材が、バルーンであることとしてもよい。
このようにすることで、患部近傍においてバルーンを膨張させることにより、患部に適した形状に細胞シートを広げ、その状態でバルーンを冷却することにより、細胞シートをリリースすることができる。
【発明の効果】
【００１９】
本発明によれば、体腔内の患部近傍に細胞シートを確実にリリースして、患部の修復術を容易にすることができるという効果を奏する。
【発明を実施するための最良の形態】
【００２０】
以下、本発明の第１の実施形態に係る細胞シート１のリリース方法について、図１を参照して以下に説明する。
本実施形態に係る細胞シート１のリリース方法は、図１に示されるように、内視鏡の挿入部２に長手方向に沿って設けられたチャネル３に挿入可能な外径寸法を有する柔軟なチューブ４の先端部に収容された細胞シート１をリリースする方法である。
【００２１】
細胞シート１は、例えば、口腔粘膜を採取して、底面に温度応答性処理が施された培養容器（図示略）内において培養されたものである。温度応答性処理は、例えば、Ｎ−イソプロピルアクリルアミドからなる高分子を塗布したものであり、３２℃以上で疎水性、３２℃より低い温度で親水性を呈するようになっている。
【００２２】
培養時には、例えば、３７℃で培養されるため培養容器の底面が十分な疎水性を有していて、口腔粘膜を構成する扁平上皮細胞は、培養容器の底面に容易に接着して増殖することができる。一方、培養終了時には、３２℃より低い温度に冷却することで、培養容器の底面が急激に親水性を呈し、培養された扁平上皮細胞を容易に剥離することができる。
【００２３】
本実施形態においては、細胞シート１として、例えば、四角形のものを例示するが、これに限定されるものではなく、患部Ａの形態に合わせて、多角形、円形あるいは楕円形等の任意の形態の細胞シート１を採用することができる。
【００２４】
培養容器の底面から剥離された扁平上皮細胞は、培養容器の底面に接着して成長した状態のまま剥離されるために、１枚のシート状の細胞シート１に構成される。細胞シート１の培養容器の底面に接着していた裏面側は剥離後も継続して接着性を有し、表面側は接着性を有しないものとなる。
【００２５】
そこで、本実施形態においては、製造された細胞シート１の接着性を有する面（以下、接着面という。）１ａを半径方向内方に向けて、細胞シート１を筒状に形成し、その筒状の細胞シート１をチューブ４の先端内部に収容する。この状態で、接着面１ａが半径方向内方に向けられているので、細胞シート１はチューブ４内面に接着することなく、その弾性によりチューブ４内面に押し付けられた状態に保持されている。
【００２６】
細胞シート１を適用する患部Ａの位置に応じて、経口的にあるいは経肛門的に挿入配置された内視鏡の挿入部２に備えられているチャネル３を介して、前記細胞シート１を収容した先端側からチューブ４を挿入し、挿入部２の先端からチューブ４の先端を突出させる。患部Ａの位置は内視鏡検査により容易に特定することができ、特定された患部Ａ近傍の位置にチューブ４の先端位置を配置する。
【００２７】
本実施形態に係る細胞シート１のリリース方法は、この状態でチューブ４の後方から導入した押圧手段５によってチューブ４内の細胞シート１を押圧し、チューブ４の先端から押し出すものである。押圧手段５としては、例えば、ワイヤあるいは水等の液体によって細胞シート１を押圧して押し出すものが採用される。
【００２８】
本実施形態に係るリリース方法によれば、細胞シート１がチューブ４内面に接着しないように、接着面１ａを半径方向内方に向けて保持されているので、押圧手段５の作動によって容易に押し出され、患部Ａ近傍に確実にリリースすることができる。
この場合において、細胞シート１は、図１（ａ），（ｂ）に示されるように、筒状に丸めた際の切れ目１ｂが患部Ａに向かう方向にして、チューブ４内から押し出すことが好ましい。チューブ４から押し出された細胞シート１は、その弾性によって、元の略平坦な形態に戻ろうとする。したがって、切れ目１ｂを患部Ａに向けた状態で押し出されることにより、迅速に患部Ａを覆う形態に広がるので、リリース後に姿勢を調節することなく患部Ａに適用することができる。
【００２９】
次に、本発明の第２の実施形態に係る細胞シート１のリリース方法について、図２〜図５を参照して以下に説明する。
本実施形態においては、図２に示されるように、略円形のシート状に形成された細胞シート１の接着面１ａの外周縁にリング状のスペーサ１０を接着することにより細胞シート部材１１を構成する。細胞シート１およびスペーサ１０の直径寸法は、内視鏡の挿入部２に備えられたチャネル３内に挿入可能なチューブ４の内径寸法とほぼ同等に形成されている。
【００３０】
スペーサ１０は、例えば、生体吸収性の材料からなり、患部Ａ近傍にリリースされた後には、経時的に吸収されて消滅するようになっている。なお、スペーサ１０の材質としては、生体適合性を有するものであれば足り、生体吸収性を有していなくてもよい。吸収されずに残るスペーサ１０は、そのまま患部に留置されるか、異物として体外に排出されることになる。また、スペーサ１０を生体吸収性の材料により構成する場合には、患部Ａを治療するための薬剤を混入しておくことにしてもよい。
【００３１】
このように構成された細胞シート部材１１は、図３に示されるように、厚さ方向に複数重ねるようにしてチューブ４内に挿入されている。接着面１ａにスペーサ１０が配置されているので、接着面１ａが隣接する細胞シート１に接着することが防止される。また、接着面１ａの外周縁がスペーサ１０により覆われているので、細胞シート１の接着面１ａがチューブ４の内面に接着することも防止される。
【００３２】
本実施形態に係る細胞シート１のリリース方法は、図３に示されるように、チューブ４の後方から導入した押圧手段５によってチューブ４内の細胞シート１を押圧し、チューブ４の先端から押し出すものである。押圧手段５としては、例えば、ワイヤあるいは水等の液体によって細胞シート１を押圧して押し出すものが採用される。
【００３３】
本実施形態に係る細胞シート１は、内視鏡の挿入部２のチャネル３内に挿入可能なチューブ４の内径寸法と同等の比較的小さい細胞シート１であるため、極めて小さい患部Ａに適用する場合を除き、図４に示されるように、複数の細胞シート部材１１を患部Ａに適用する必要がある。なお、図４に示されるように、患部Ａ全体を覆うように細胞シート部材１１を配置することが望ましいが、接着した細胞が成長して患部Ａを修復する機能を有するため、図５に示されるように、患部Ａを部分的に覆うように細胞シート部材１１を配置することにしてもよい。
【００３４】
次に、本発明の第３の実施形態に係る細胞シート１のリリース方法について、図６〜図９を参照して以下に説明する。
本実施形態に係るリリース方法は、図６に示されるキャップ１２を使用する。
【００３５】
このキャップ１２は、図６に示されるように、略円筒状に形成され、長手軸方向の一端側に、内視鏡の挿入部２の先端に嵌合可能な嵌合部１３を備えている。また、キャップ１２の他端側には、その内表面に温度応答性処理が施された接着部１２ａが備えられている。この接着部１２ａは、温度応答性処理が施されることにより、３２℃以上で疎水性、３２℃より低い温度で親水性を呈するようになっている。
【００３６】
これにより、３２℃以上に維持することにより、接着部１２ａに細胞シート１を接着状態に保持することができ、それよりも低い温度に切り替えることにより、接着部１２ａの細胞シート１を剥離させることができるようになっている。また、接着部１１以外の表面は、親水性を有するように処理されている。これにより、接着部１２ａ以外の表面には、いかなる温度でも細胞が接着しないようになっている。
【００３７】
このようなキャップ１２に細胞シート１を接着させるには、例えば、図７に示されるように、接着させる細胞を浮遊させた細胞懸濁液Ｂに、長手軸を略水平にしたキャップ１２の一部を浸漬させ、その状態でキャップ１２を長手軸回りに回転させながら、所定の培養条件、例えば、温度３７℃、湿度１００％、ＣＯ２濃度０．５％に維持することにより回転培養する。これにより、温度応答性処理が施されている接着部１２ａには細胞が接着して成長し、それ以外の表面には細胞が接着しないので、接着部１２ａのみに細胞シート１が形成されることになる。
【００３８】
このようにして、細胞シート１を接着させたキャップ１２を細胞懸濁液Ｂから取り出し、図８および図９に示されるように、内視鏡の挿入部２の先端に嵌合部１３を嵌合させて取り付け、例えば、長手軸に沿って切断線１ｂを形成する。これにより、内視鏡の挿入部２を経口的あるいは経肛門的に体腔内に挿入することで、細胞シート１を接着させたキャップ１２を患部Ａ近傍に配置することができるようになる。
【００３９】
そして、キャップ１２が患部Ａ近傍に配置された場合には、挿入部２に備えられたチャネル３を介して３２℃より低い温度の冷却水を供給することにより、チャネル３の出口周囲に配置されているキャップ１２を冷却し、接着部１２ａの性質を親水性に変化させる。これにより、接着部１２ａに接着していた細胞シート１が容易に剥離し、患部に向けて供給されることになる。
【００４０】
この場合において、本実施形態に係る細胞シート１のリリース方法によれば、キャップ１２の内面に設けられた接着部１２ａに保持していた細胞シート１をリリースするので、細胞シート１は接着面１ａを外側に向けた円筒状の形態でリリースされる。したがって、リリース位置付近に配置されている患部Ａに容易に接着させることができる。
【００４１】
なお、本実施形態においては、内視鏡の挿入部２に備えられたチャネル３を介して冷却水を供給することにより、キャップ１２を冷却することとしたが、これに代えて、図１０に示されるように、キャップ１２の壁面内部を通る流路１４を設け、該流路１４に、挿入部２の外側を通して導いた外付けの給水チューブ１５を接続することにより、該給水チューブ１５を介して冷却水をキャップ１２の流路１４内に流通させ、キャップ１２を冷却することにしてもよい。
【００４２】
また、上記実施形態においては、キャップ１２の内面に接着部１２ａを設けることとしたが、これに代えて、図１１に示されるように、キャップ１２の外面に設けた接着部１２ａに細胞シート１を接着させることにしてもよい。このようにすることで、細胞シート１に切断線１ｂを形成する作業を容易にすることができる。
【００４３】
なお、本実施形態においては、キャップ１２を細胞懸濁液Ｂに浸漬して回転培養することにより、キャップ１２に設けた接着部１２ａに細胞シート１を接着状態に形成することとしたが、これに代えて、他の場所で製造した細胞シート１を接着部１２ａに接着させることにしてもよい。
【００４４】
また、キャップ１２の外面に細胞シート１を接着させることに代えて、内視鏡の挿入部２自体の外周面に温度応答性処理を施して接着部とし、該接着部に細胞シート１を接着させることにしてもよい。
【００４５】
次に、本発明の第４の実施形態に係る細胞シート１のリリース方法について、図１２および図１３を参照して、以下に説明する。
本実施形態に係る細胞シート１のリリース方法は、図１２に示されるように、第３の実施形態と同様にして温度応答性処理を施した部材を利用するものであるが、第３の実施形態が、内視鏡の挿入部２の先端に取り付けるキャップ１２に細胞シート１を接着させた状態としていたのに対し、本実施形態においては、第１および第２の実施形態と同様に、挿入部２のチャネル３に収容した状態で患部Ａ近傍まで搬送してリリースする方法を提供する。
【００４６】
本実施形態においては、表面２０ａに温度応答性処理を施した柔軟な温度応答性シート２０、あるいは、温度応答性ポリマーからなる温度応答性シート２０を利用する。
そして、このような温度応答性シート２０の表面に細胞シート１を接着させた複合シート２１をチャネル３内に収容するには、図１２に示されるように、複合シート２１を巻き取るように丸めて、その外径寸法がチャネル３の内径寸法より小さくなるようにする。
【００４７】
このようにすることで、第１の実施形態のように、細胞シート１を単独で１重の筒状に丸める場合と比較すると、大幅に広い面積の細胞シート１をチャネル３内に収容することができる。
そして、本実施形態に係る細胞シート１のリリース方法は、第１の実施形態と同様にして、チャネル３の後方から導入したワイヤ等の押圧手段５により複合シート２１をチャネル３外に押し出した後、チャネル３を介して導入した冷却水を複合シート２１にかけることにより３２℃より低い温度に冷却し、細胞シート１を温度応答性シート２０から容易に剥離させ、患部Ａ近傍にリリースすることができる。
【００４８】
なお、本実施形態においては、単に、温度応答性ポリマーにより構成した温度応答性シート２０に細胞シート１を重ねた複合シート２１を例示したが、これに代えて、柔軟なシート内部に形状記憶合金（図示略）を埋め込んだもの、あるいは、形状記憶ポリマーにより構成された温度応答性シート２０を採用してもよい。このようにすることで、温度変化を与えることにより、図１１の平坦に広がった状態と、図１２の筒状に巻き取られた状態とを容易に切り替えることができる。
【００４９】
これにより、チャネル３内への複合シート２１の挿入作業を容易にすることができるとともに、リリース時の展開もスムーズに行うことができる。また、細胞シート１のリリース時に、図１１のように広げ、リリース後に図１２のように巻き取って、再度チャネル３内に回収することも可能となる。
【００５０】
また、本実施形態においては、複合シート２１をチャネル３内に収容して搬送し、患部Ａ近傍においてリリースすることとしたが、複合シート２１をチャネル３内に収容することなく、内視鏡の挿入部２の先端に、図示しない鉗子等により把持した状態で、体腔内を搬送することにしてもよい。このようにすることで、チャネル３内から押し出す工程が不要となり、単に冷却するだけで、細胞シート１を患部Ａ近傍にリリースすることができる。
【００５１】
また、平坦な温度応答性シート２０に代えて、筒状に形成した温度応答性シート２０の外面に細胞シート１を付着させた複合シート２１の内部に、伸縮可能なメタルステント（図示略）等の拡張手段を配置することとしてもよい。このようにすることで、メタルステントを広げた状態で構成した複合シート２１は、メタルステントを半径方向内方に縮小させることにより、皺寄せられてその外径寸法を縮小させることができる。この状態で、挿入部２のチャネル３内に収容することができる。また、挿入部２のチャネル３からリリースした後には、メタルステントを拡張させることで、皺寄せられていた複合シート２１を張るように拡張させ、細胞シート１を広げることができる。この状態で、温度応答性シート２０を冷却することにより、細胞シート１を容易に剥離させ、患部Ａ近傍にリリースすることができる。
【００５２】
また、同様にして、表面に温度応答性処理を施したバルーンの表面に細胞シート１を付着させたもの（図示略）を採用してもよい。バルーンを拡張させた状態で細胞シート１を接着させ、バルーンを収縮させることで、挿入部２のチャネル３内に容易に収容可能とすることができる。そして、チャネル３内からリリースされた後には、バルーンを膨張させることにより、皺寄せられていた細胞シート１を張るように拡張させることができる。この状態で、バルーンを冷却することにより、細胞シート１を容易に剥離させ、患部Ａ近傍にリリースすることができる。
【００５３】
また、同様にして、ワイヤからなる環状のスネア（図示略）の内側に、膜状に温度応答性シート２０を貼り、該温度応答性シート２０に細胞シート１を付着させることにしてもよい。スネアを収納形態とすることで、複合シート２１をチャネル３内に収容可能な太さに容易に構成することができ、また、スネアをチャネル３外に突出させることにより、スネアの弾性によって複合シート２１を広げることができる。
【００５４】
また、上記第３および第４の実施形態においては、リリース方法として、細胞シート１を接着させた温度応答性部材２０を冷却する方法を採用したが、これに代えて、細胞シート１の接着面１ａにアルギン酸等の保護シート（図示略）を接着しておき、患部Ａ近傍において保護シートを剥がすこととしてもよい。また、温度により親水性と疎水性とが切り替わる温度応答性部材２０を利用したが、これに代えて、電場により親水性と疎水性とが切り替わる部材を利用することとしてもよい。
【図面の簡単な説明】
【００５５】
【図１】本発明の第１の実施形態に係る細胞シートのリリース方法を説明する斜視図であり、（ａ）チューブ内に収容状態の細胞シート、（ｂ）部分的にチューブから押し出された細胞シート、（ｃ）チューブからリリースされた細胞シートをそれぞれ示している。
【図２】本発明の第２の実施形態に係る細胞シートのリリース方法に使用される細胞シート部材を説明する斜視図である。
【図３】図２の細胞シートのリリース方法を説明する縦断面図である。
【図４】図３の細胞シートのリリース方法により患部近傍にリリースされ、患部に接着された細胞シートの一例を示す図である。
【図５】図４と同様に、患部近傍にリリースされ、患部に接着された細胞シートの他の例を示す図である。
【図６】本発明の第３の実施形態に係る細胞シートのリリース方法に使用されるキャップを示す斜視図である。
【図７】図６のキャップの接着部への細胞シートの接着方法を示す説明図である。
【図８】図７の接着方法により細胞シートを接着させたキャップを内視鏡の先端部に取り付けた状態を示す斜視図である。
【図９】図８の状態を示す縦断面図である。
【図１０】図９の変形例を示す縦断面図である。
【図１１】図９の他の変形例を示す縦断面図である。
【図１２】本発明の第４の実施形態に係る細胞シートのリリース方法に使用される複合シートを説明する斜視図である。
【図１３】図１２の複合シートを丸めた状態を示す斜視図である。
【符号の説明】
【００５６】
Ａ  患部
１  細胞シート
１ａ  接着面
１ｂ  切れ目
４  チューブ
５  ワイヤ（押圧手段）
１０  スペーサ
１１  細胞シート部材
２０  温度応答性部材
【図１】
2007229250.tif 000003
【図２】
2007229250.tif 000004
【図３】
2007229250.tif 000005
【図４】
2007229250.tif 000006
【図５】
2007229250.tif 000007
【図６】
2007229250.tif 000008
【図７】
2007229250.tif 000009
【図８】
2007229250.tif 000010
【図９】
2007229250.tif 000011
【図１０】
2007229250.tif 000012
【図１１】
2007229250.tif 000013
【図１２】
2007229250.tif 000014
【図１３】
2007229250.tif 000015